(57)【特許請求の範囲】
【請求項１】
複数の支柱と、該複数の支柱を連結する横フレ−ムとを備え、該支柱の下部に設けられている脚部の嵌合部をベッドのサイドフレ−ムに設けられている嵌合孔に嵌合することによりベッドに取り付けられるベッド用側枠装置であって、前記複数の支柱のうち１本の支柱の脚部の嵌合部は、該支柱本体の軸芯に対し偏心した状態で該支柱本体の軸芯回りに回転可能に設けられ、該偏心した嵌合部を回転させることにより、他の脚部の嵌合部との距離を可変としたことを特徴とするベッド用側枠装置。
【発明の詳細な説明】
【０００１】
【産業上の利用分野】
本発明は、病人や老人等が使用するベッドに取り付けられる手摺を兼ねた側枠装置に関するものである。
【０００２】
【従来の技術】
病人や老人等身体の不自由な人が使用するベッドには、就寝時の転落を防止し、起き上がり時の手掛かりとするための枠体をベッドの側部に設けておくことが多い。
【０００３】
この種の側枠は、金属パイプで作られるのが一般的であり、その脚部をベッドの側部に設けられているサイドフレ−ムに設けた取付孔に嵌合することによりベッドに取り付けるようになっているものが多い。しかしながら、起き上り時等に手掛かりとする枠体を、ベッドのサイドフレ−ムに設けた取付孔に脚部を嵌合するだけで取り付けるのは、着脱には便利であるが使用上不安定であるという問題点があった。このため、取付孔に嵌合した脚部をボルトで締め付けて固定することも行われていた。
【０００４】
【発明が解決しようとする課題】
上記側枠は、不要時には邪魔にならないように簡単に取り外せるようにしておくのが好ましいが、上記のようにボルト等で締め付けて固定する方法では、その着脱に手間がかかり、しかも取り外したボルト等が紛失することが多いので不便であった。そこで本発明は、病人や老人等が使用するベッドの側部に簡単かつ強固に取り付けることのできる側枠装置を提供することを課題としている。
【０００５】
【課題を解決するための手段】
上記課題を解決するため、本発明は次のような構成を採用した。すなわち、本発明にかかるベッド用側枠装置は、複数の支柱と、該複数の支柱を連結する横フレ−ムとを備え、該支柱の下部に設けられている脚部の嵌合部をベッドのサイドフレ−ムに設けられている嵌合孔に嵌合することによりベッドに取り付けられるベッド用側枠装置であって、前記複数の支柱のうち１本の支柱の脚部の嵌合部は、該支柱本体の軸芯に対し偏心した状態で該支柱本体の軸芯回りに回転可能に設けられ、該偏心した嵌合部を回転させることにより、他の脚部の嵌合部との距離を可変としたことを特徴としている。
【０００６】
【作用】
この側枠装置が具備する複数の支柱の脚部の嵌合部をそれぞれベッドのサイドフレ−ムに設けられている嵌合孔に嵌合させる。この時、偏心した脚部は、最も嵌合し易い位置に回転させておく。すべての支柱の脚部を嵌合孔に嵌合した状態で、偏心した嵌合部を有する脚部を回転させると、偏心した分だけ支柱の位置を前後方向に強制的に移動させる力が作用し、その反力によって脚部の嵌合部が嵌合孔の内面に押し付けられる。このため、脚部が嵌合孔に対し無理嵌め状態で強固に固定される。すべての支柱の脚部をそれぞれ対応する嵌合孔に嵌合し、偏心した脚部を軸回りに回転させるだけでよいので、その取り付け操作は簡単である。
【０００７】
ベッドのサイドフレ−ムに取り付けた側枠装置を取り外す場合は、偏心した脚部を逆方向に回せばよい。これによって脚部と嵌合孔内面との緊張状態が緩められ、脚部を簡単に抜き取ることができる。
【０００８】
【実施例】
以下、本発明の実施例について図面に基づいて具体的に説明する。
【０００９】
この側枠装置１は、ベッド２の側部に着脱可能な差し込み側枠３と、水平面内で回動可能な回動手摺部４とを共通の基枠５で取り付けるようにしたもので、差し込み側枠３と回動手摺部４とを一列にしておくことも、回動手摺部４を適当な角度に回動させて固定することもできるようになっている。回動手摺部４を適当な位置に回動させて固定しておけば、身体障害者等ベッドを使用する者がこれを掴んで楽に起き上がったり、ベッドに対し上り降りしたり、歩行したりすることができる。
【００１０】
この側枠装置１の基枠５は２本の支柱５０，５１を備え、これら両支柱の上端部に両支柱を連結する水平な横フレ−ム６が一体に設けられている。また、一方の支柱５１には該支柱からベッドの長手方向に沿って延びる斜め上向きの支持ア−ム７が固着されている。
【００１１】
ベッド２のサイドフレ−ム９には長手方向に沿って複数の嵌合孔９ａ，…が設けられ、基枠５の支柱５０，５１の下部に設けられた脚部５４，５５をそれに対応する上記嵌合孔９ａ，９ｂに挿入することにより該基枠がベッドに取り付けられるようになっている。
【００１２】
上記２本の支柱のうち一方の支柱５１の脚部５５には、取り付け軸５６と受け座５７と嵌合部５８が一体に設けられており、嵌合部５８の軸芯Ｄは取り付け軸５６の軸芯Ｃに対し距離ｔだけ偏心している。一方、支柱５１の本体には、該支柱本体と同芯の軸穴５９が設けられている。この軸穴５９は、前記取り付け軸５６が回転自在に嵌合するもので、該取り付け軸をこの軸穴に嵌合することにより、脚部５５が支柱５１に取り付けられる。この取り付け状態では、支柱本体の下端部が受け座５７上に当接し、脚部の下部に設けられている前記嵌合部５８が支柱の軸芯Ｃに対し偏芯した状態となる。
【００１３】
前記受け座５７の側面には、１本のレバ−からなる固定ハンドル１０が取り付けられている。固定ハンドル１０は、平面視で前記脚部の中心と偏心した嵌合部５８の中心とを結ぶ線上に位置するように設けられている。このハンドルで脚部を回転させると、偏心した嵌合部５８が支柱の軸芯Ｃの回りを円弧状の軌跡を描いて移動する。
【００１４】
基枠５は、その２本の支柱５０，５１の脚部５４，５５をベッドのサイドフレ−ム９に設けられている嵌合孔９ａ，９ｂにそれぞれ嵌合することによりベッドの側部に取り付けられる。上記両嵌合孔の間隔ｄは、前記脚部５５の嵌合部５８と対向する反対側の脚部５４から最も離れた位置に位置させた状態、すなわち固定ハンドル１０がベッドの後方に向かって延びる状態における両脚部の下端部の距離と等しくなっており、脚部５５側の嵌合孔９ｂは嵌合部５８がゆるく嵌合するように若干径が大きくなっている。
【００１５】
したがって、両方の支柱の脚部５４，５５をそれぞれの嵌合孔９ａ，９ｂに嵌合する時は、ハンドル１０を両支柱を結ぶ線上（図１の実線参照）に位置させておき、両脚部を嵌合した状態でハンドル１０を１８０度回転させれば（図１の鎖線参照）、脚部５５の偏心した嵌合部５８が対向する脚部５４に最も近い位置に移動するため、支柱５１の本体を撓ませる力が作用し、その反力によって嵌合部５８が嵌合孔の孔壁に押し付けられる。このため、側枠装置１がベッドフレ−ムに強固に固定されるのである。
【００１６】
側枠装置をベッドから取り外す時は、固定ハンドル１０を１８０度反対側に回転させればよい。この操作によって支柱５１の偏心した嵌合部５８が外側に移動するため、孔壁に押し付ける力が作用しなくなり、脚部を簡単に抜き取ることができる。図示例では、固定と解除のためにハンドル１０を１８０度回転させる設計となっており、固定時にはハンドルがサイドフレ−ムに沿って邪魔にならないよう収納されるが、設計によっては１８０度以下の回転で着脱できるようにすることもできる。なお、この側枠装置１をベッドに固定した状態では、横フレ−ム６がベッドに敷かれたマットレスＭの上面よりも下側に位置するようになっている。
【００１７】
支柱５０，５１の上部には挿入孔１１，１１が設けられており、前記差し込み側枠３の脚部に設けた取り付け軸１２，１２をこれに挿入することにより、該差し込み側枠３を基枠５に取り付けることができる。差し込み側枠３の基枠に対する着脱は簡単である。
【００１８】
基枠５から突出する支持ア−ム７の端部には、上面に鋸歯状の歯列１５ａを有する菊座受部１５が固着され、その上部には該菊座受部よりも径の小さい垂直な嵌合軸部１６が一体に形成されている。菊座１５の内部には中心部に上下方向の通孔１７を有するストッパ部１８が一体に形成され、該ストッパ部の下部には凹部１９が形成されている。前記通孔１７には下端部にねじ部２０ａを有する軸２０が挿通され、その軸の上端部は前記嵌合軸部１６よりも上方へ突出し、その上端部付近にフランジ２１が取り付けられている。軸２０の下端部は前記凹部１９内へ突出し、この部分にナット２２が螺着されている。
【００１９】
一方、前記回動手摺部４は、中空パイプをル−プ状に湾曲させた手摺本体４ａと該パイプの継ぎ合わせ部に固着され下面に前記菊座受部の歯列１５ａと噛み合う歯列２５ａを有する筒状の基部２５からなる。回動手摺部４は、この筒状の基部２５を前記菊座と一体の嵌合軸部１６に嵌合することにより該嵌合軸部回りに回動可能に基枠５に取り付けられる。
【００２０】
基部２５の外面部には、ロック装置３０の取り付け板３２が固着され、この部分の基部側壁には上下に長いスリット３３が形成されている。前記取り付け板３２には、先端部が前記スリット３３を通して基部２５の内部へ挿入された回動部材３５がピンＰで取り付けられている。回動部材３５の後部は若干上向きに屈曲するカギ形の係合部３５ａとなっている。さらに、この回動部材３５の上側には、前記回動部材の係合部３５ａと係合する凸部３７ａを有するロックレバ−３７がピンＰで取り付けられている。
【００２１】
ロックレバ−３７のハンドル部３７ｂを押し下げれば、前記凸部３７ａが前記回動部材の係合部３５ａに係合して回動部材３５を図の右回りに回動させ、その先端部３５ｂでフランジ２１を押し上げて軸２０を引き上げる力が作用する。このため、基部２５が菊座１５側に相対的に押し下げられ、菊座受部と基部の歯列１５ａ，２５ａが緊密に噛み合って、基部２５と嵌合軸部１６の相互回転が拘束される。この結果、回動手摺部４がその回動位置で固定される。
【００２２】
ロックレバ−のハンドル３７ｂを引き上げると、凸部３７ａが係合部３５ａから外れるため、回動部材３５による軸２０の引き上げが行われなくなり、該軸による基部２５と菊座１５との結合が緩むので、回動手摺部４を若干持ち上げて菊座受部と基部の歯列の噛み合いを外すことにより、回動手摺部を嵌合軸部１６回りに水平面内で自由に回転させることができるようになる。所望の角度まで回転させたら、再度ロックレバ−３７を操作してその位置で固定すればよい。
【００２３】
この側枠装置１は、簡単な操作で着脱することのできる差し込み側枠と、任意の回動位置で固定することのできる回動手摺部とが設けられているので、ベッド用介助装置としてすぐれたものである。基枠５は、偏心した嵌合部を回転させることにより簡単に着脱することができるので便利である。また、基枠をベッドに取り付けた状態ではベッドのマット上面よりも低い位置に固定されるので、差し込み側枠を取り外した時に邪魔にならない。
【００２４】
なお、以上の説明ではベッド用の側枠装置について説明したが、本発明で用いられている固定方法、すなわち偏心嵌合部を穴内で回転させることにより穴壁との間に緊張を与えて部材を固定する固定方法を、機械装置や他の装置における部材の取り付け方法として利用することができることは明らかである。
【００２５】
【発明の効果】
以上に説明したように、本発明にかかる側枠装置は、複数の支柱の脚部をベッドのサイドフレ−ムに設けられている嵌合孔に嵌合させることによりベッドに取り付けられるもので、１本の支柱に設けられている偏心した嵌合部を有する脚部を最も嵌合し易い位置に回転させて嵌合し、すべての支柱の脚部を嵌合孔に嵌合した状態で、該偏心した脚部を回転させることにより、偏心した分だけ支柱の位置を前後方向に強制的に移動させる力を作用させて、その反力により嵌合している脚部を嵌合孔の内面に押し付け、無理嵌め状態で固定するので、ベッドに対する着脱が簡単であり、しかも強固に固定することが可能となった。
【図面の簡単な説明】
【図１】本発明の一実施例の側面図である。
【図２】取り付け状態を表す全体側面図である。
【図３】支柱の側面図である。
【図４】その下面図である。
【図５】ロック装置の断面図である。
【図６】その要部の断面図である。
【図７】側枠装置の平面図である。
【符号の説明】
１          側枠装置
２          ベッド
３          差し込み側枠
４          回動手摺部
５          基枠
６          横フレ−ム
１０        固定ハンドル
３０        ロック装置
５０，５１  支柱
５４，５５  脚部
５６        軸部
５８        嵌合部
【図１】
0003607912.tif 000002
【図２】
0003607912.tif 000003
【図３】
0003607912.tif 000004
【図４】
0003607912.tif 000005
【図５】
0003607912.tif 000006
【図６】
0003607912.tif 000007
【図７】
0003607912.tif 000008